(57)【要約】【課題】外観上目立ち難い手段で、嵩張らない状態で容易かつ確実に解体作業を行うことができる包装容器および物品包装体を提供する。【解決手段】互いに対向する一対の矩形状の面板１１と；一対の面板の両側部にそれぞれ設けられた側板１２と；一対の面板の底辺部とそれぞれ稜線を形成して一対の面板を底辺部側で連結する底板１３と；面板の上辺部に底板と対向して形成される開口部１４と；開口部を開閉可能とする蓋部１５と；少なくとも一方の面板に一方の側板から他方の側板に向かって形成された２本の切目線１８と；を具備しており、２本の切目線１８に沿って面板１１の一部を切り取り、底板１３を開放することが可能なように包装容器を構成する。【選択図】    図２
2007297077.tif 000002
【特許請求の範囲】
【請求項１】
互いに対向する一対の矩形状の面板と；
一対の面板の両側部にそれぞれ設けられた側板と；
一対の面板の底辺部とそれぞれ稜線を形成して一対の面板を底辺部側で連結する底板と；
面板の上辺部に底板と対向して形成される開口部と；
開口部を開閉可能とする蓋部と；
少なくとも一方の面板に一方の側板から他方の側板に向かって形成された２本の切目線と；
を具備しており、２本の切目線に沿って面板の一部を切り取り、底板を開放することが可能なように構成されていることを特徴とする包装容器。
【請求項２】
２本の切目線のうち一方が面板と底板との間に形成された稜線上に形成されていることを特徴とする請求項１記載の包装容器。
【請求項３】
２本の切目線は面板の底辺部から離間して形成されており、２本の切目線のうち底板側に位置する切目線の両端部と、面板と底板との間に形成された稜線の両端部とをそれぞれ繋ぐ一対の切起し線と；
を具備していることを特徴とする請求項１記載の包装容器。
【請求項４】
請求項１ないし３いずれか一記載の包装容器と；
包装容器内に収納される物品と；
を具備することを特徴とする物品包装体。
【発明の詳細な説明】
【技術分野】
【０００１】
本発明は、物品を包装する包装容器およびこれを用いた物品包装体に関する。
【背景技術】
【０００２】
この種の包装容器は、ダンボールまたは厚紙等を切り抜いて形成した包装体を、内部に物品を収容するように折り曲げ、接合して箱体をなすように構成し、従来から各種物品の包装に多用されている。
【０００３】
しかしながら、上記構成の包装容器は収容される物品を保護するために強固に構成されており、廃棄時やリサイクルのための回収時に嵩張らないように解体し、扁平にすることが困難となっている。
【０００４】
この問題を解決するため、例えば、下記の特許文献１ないし３に示される包装容器が知られている。
【０００５】
特許文献１に示される包装容器は、上板および底板の稜線部分にジッパーカット線を設け、穴あけ用切り込みを指でめくり上げて、上板および底板全体を切り取って開口させ、廃棄時に折り畳んで破棄しやすくしたものである。
【０００６】
特許文献２の包装容器は、外面板に指入部を設け、指入部から底板の両端に至る斜めの切目線を形成したもの（図１）、底板の両端に亘る２本の切目線を形成したもの（図５）、さらに外面板と両側板の稜線全長に亘る切目線を形成したもの（図９）等が示されており、これらは、いずれも切目線に沿って外側面および底板の一部を切り裂くことにより、蓋体を開いた状態で両側板を倒し、扁平に解体し嵩張らないように構成している。
【０００７】
特許文献３に示される包装容器は、底板に、面板と底板の境界部分までつながり、境界線に近づくにつれて距離が大きくなる２本の切目線を形成し、底板を切目線に沿って切り裂き、扁平に展開される面積を最小限に抑えて、嵩張らない状態で廃棄するように構成している。
【特許文献１】特開平１１−２２７７５４号公報
【特許文献２】特開２００２−２１１５４８号公報
【特許文献３】特開２００４−２６２５４９号公報
【発明の開示】
【発明が解決しようとする課題】
【０００８】
しかしながら、特許文献１に示される包装容器は、稜線部分に切目線が形成され上板および底板の全体を切り取るために、上板および底板の幅寸法によって２本の切目線の間隔寸法が決まり、厚さ寸法が大きくなった場合切り取り難くなる問題がある。
【０００９】
また、切目線が箱体の角部分である稜線に形成されているため、切目線が目立ち難く、ユーザーが切り取りが可能であることを気付かない恐れもある。この点については、特許文献２に示される包装容器のうち、図５および図９に記載のものも同様である。
【００１０】
特許文献２に示される包装容器のうち外面板に指入部を設け、指入部から底板の両端に至る斜めの切目線を形成したもの（図１）は、解体をする際に、底板のみならず外面板の一部をも展開するために、展開した際の面積が大きくなるので廃棄時に扁平に解体された包装材が嵩張りやすくなる。
【００１１】
また、切目線が外面板に斜めに長く形成されるので外観上目立ちやすく、外面板に施されたマークやデザイン表示の機能を低下させて外観が悪化してしまう。
【００１２】
さらには外観の印象だけではなく、外面に記載された商品に関する注意書などが見難くなるという問題も生じる。
【００１３】
特許文献３に示される包装容器は、底板に境界線に近づくにつれて距離が大きくなる２本の切目線を形成してあるので、特許文献１と同様に、底板の厚さ寸法が大きくなった場合に切り取り難くなる。また、包装容器を積み重ねて売り場に陳列、展示する場合には、切目線が目立つことにより展示品の外観が悪くなるという問題を有している。
【００１４】
本発明は、上記課題に鑑みてなされたもので、外観上目立ち難い手段で、嵩張らない状態で容易かつ確実に解体作業を行うことができる包装容器および物品包装体を提供しようとするものである。
【課題を解決するための手段】
【００１５】
本発明の包装容器は、互いに対向する一対の矩形状の面板と；一対の面板の両側部にそれぞれ設けられた側板と；一対の面板の底辺部とそれぞれ稜線を形成して一対の面板を底辺部側で連結する底板と；面板の上辺部に底板と対向して形成される開口部と；開口部を開閉可能とする蓋部と；少なくとも一方の面板に一方の側板から他方の側板に向かって形成された２本の切目線と；を具備しており、２本の切目線に沿って面板の一部を切り取り、底板を開放することが可能なように構成されていることを特徴とする。
本発明の包装容器は、被包装物品の形状に合わせた適当な縦横比および厚さ寸法に設定された箱体に構成されることが許容され、特定の大きさ、特定の用途等には限定されない。
【００１６】
包装容器を構成する面板、側板、底板および蓋部等は、例えば、厚紙、段ボール等の紙材で構成されることが好ましいが、プラスチックシートなど他の材料で構成されてもよく、特定の材料には限定されない。
【００１７】
面板、側板、底板および蓋部等は、例えば、１枚の紙材から打ち抜かれて一体に形成されることが好ましいが、大型の包装容器等の場合には、各部材若しくは一部の部材を別体に形成し、接着等により一体化する手段で構成してもよい。
【００１８】
一対の面板の両側面にそれぞれ設けられた側板は、糊付け等の手段で連結することができるが、連結手段はこれに限らない。例えば粘着テープによって接合したり、ステープラー等の機械的な接合手段で連結されてもよい。また、蓋体側等の係合手段によって一対の面板の固定が行われる形態にあっては、側板における接合は省略してもよい。
【００１９】
２本の切目線は、少なくとも一方の面板に一方の側板から他方の側板に向かって形成されるが、底板側に位置する切目線は面板と底板との間に形成される稜線上に設けられていてもよい。
【００２０】
さらに、２本の切目線が面板の底辺部から離間して形成されていて、２本の切目線のうち底板側に位置する切目線の両端部と、面板と底板との間に形成された稜線の両端部とをそれぞれ繋ぐ一対の切起し線を形成し、切目線に沿って面板の一部を切り取り、かつ切起し線に沿って面板の底辺側を切起して底板を開放するようにしてもよい。
【００２１】
また、切目線の形態は、ジッパ型の切目線でも、ミシン目による点線状に形成された切目線でもよく、特定の形態の切目線に限定されない。
【００２２】
本発明の物品包装体は、請求項１ないし３いずれか一記載の包装容器と；包装容器内に収納される物品と；を具備することを特徴とする。
【００２３】
包装容器内に収納される物品は、環状形蛍光ランプなどの管球製品等、小型の物品が好適であるが、電気機器製品や食品類等、種々の物品が許容され、特定の物品には限定されない。
【発明の効果】
【００２４】
本発明によれば、少なくとも一方の面板に一方の側板から他方の側板に向かって形成された２本の切目線に沿って面板の一部を切り取り、底板を開放するようにしたので、解体のための切目線を目立ち難くすることが可能となる。
【００２５】
また、２本の切目線を切り取りやすい任意の寸法で形成することが可能であり、さらに扁平な状態に解体された包装材を嵩張らない状態で廃棄することができる。
【発明を実施するための最良の形態】
【００２６】
以下、本発明に係る包装容器および物品包装体の実施形態につき説明する。
【実施例１】
【００２７】
図１〜図６は、本発明の第一実施形態である包装容器および物品包装体を示し、図１は包装容器の展開図、図２は包装容器を組み立てた状態を底板側から見た斜視図、図３は物品包装体の斜視図、図４は切目線を切り取る状態を示す包装容器の斜視図、図５は切目線を切り取った状態を示す包装容器の斜視図、図６は包装容器を解体して破棄する状態を示す斜視図である。
【００２８】
まず、本実施形態の構成を環状形蛍光ランプを収容する包装容器を例に説明する。
【００２９】
１０は包装容器で、一対の矩形状の面板１１、一対の面板の両側部から一体的に形成される側板１２、一対の面板１１、１１の底辺部間に設けられて両者を連結するように一体的に設けられた底板１３、面板の上辺部に底板１３と対向して形成される開口部１４、開口部を開閉可能とする蓋部１５で構成されている。
【００３０】
各面板１１は、その一辺の寸法ａが約４５０ｍｍの正方形をなしている。各側板１２および底板１３の幅寸法ｂは約２５ｍｍである。包装容器１０は、その内部に矩形状の収容部を形成した箱体として構成される。
【００３１】
上記に構成される包装容器１０は、図１の展開図に示すように、一枚の厚紙を切り抜いて構成されている。一対の面板１１、１１の底辺部は稜線Ｔ１、Ｔ２を介して底板１３で両者が連結され、各面板の両側部は稜線Ｔ３、Ｔ４を介して側板１２、１２がそれぞれ連結される。
【００３２】
一方の面板１１（図１上方の面板）の上辺部には、稜線Ｔ５を介して蓋部１５が形成されている。この蓋部１５には稜線Ｔ６を介して差込フラップ１６が形成されており、稜線Ｔ６の略中間部分に係止溝１７が形成される。
【００３３】
２本の切目線１８、１８は、他方の面板（図１下方の面板）の底板側に形成されている。２本の切目線は、ジッパ型で形成されていて、その両端部１８ａ、１８ａが両側板１２、１２の稜線Ｔ３、Ｔ４間に亘るように、一方の側板から他方の側板に向かって面板１１上に略水平方向に形成され、かつ底板１３側に位置する切目線１８の両端１８ａ、１８ａが面板１１と底板１３との間に形成された稜線Ｔ２上に、その両端に至って形成される。
【００３４】
なお、ジッパ型の２本の切目線１８、１８の間隔寸法ｃは、切り取りやすさや外観上の目立ち難さを考慮して５〜３０ｍｍ、好ましくは１０〜２５ｍｍに形成する。本実施例では約２５ｍｍに形成する。
【００３５】
さらに、２本の切目線１８、１８の両端部１８ａ、１８ａ間が繋がるように稜線Ｔ３、Ｔ４上に切断線１９が形成される。
【００３６】
これにより、切断線１９から指でジッパ部分の一端を摘み、２本の切目線１８、１８に沿って面板１１の一部（ジッパ部分）を切り取ることができるようになっている。
【００３７】
この他方の面板１１の下辺部には、蓋部１５の係止溝１７へ差し込まれる係止片２０が２本の稜線Ｔ７、Ｔ８を介して連接して形成されている。係止片２０は係止溝１７への差込を容易にするために切り溝２１、２１および外側の稜線Ｔ８上に切り込みにより摘み２２が形成されている。
【００３８】
図中２３は、一方の面板１１（図１上方の面板）に連接された両側板１２の上下端に、稜線Ｔ９を介して繋げて形成された一対のフラップ、２４は収容される環状形蛍光ランプの点灯点検用の窓孔である。
【００３９】
なお、折り曲げ作業を容易かつ確実に行うために、各稜線の内面側には折り曲げ用の溝が形成されている。
【００４０】
上記のように厚紙に展開され切り抜かれたものを図２に示すように組み立てる。
【００４１】
すなわち、各側板１２を面板１１から各稜線Ｔ３、Ｔ４を境にして起立させ、さらに一対のフラップ２３を稜線Ｔ９を境にして内向させるように起立させる。
【００４２】
次に、一対の面板１１及び底板１３を、各稜線Ｔ１、Ｔ２を境にして折り曲げ、互いに対向して接合する側板１２同士を糊付けして貼り合わせる。
【００４３】
さらに、蓋部１５と差込フラップ１６を、各稜線Ｔ５、Ｔ６を境にして折り曲げて開口部１４を塞ぎ、差込フラップ１６を他方の面板１１とフラップ２３の間に差し込み、さらに係止片２０を稜線Ｔ７、Ｔ８を境にして折り曲げ、係止溝１７に差し込んで封緘する。
【００４４】
なお、この組み立て作業は包装機械により自動的に行われ、被包装物品である環状形蛍光ランプＬの収容作業が包装容器１０の組み立て工程の一部に取り込まれており、包装容器の組み立てと同時に矩形状の収容部内に収容されて図３に示す物品包装体３０が自動的に構成される。
【００４５】
なお、本実施例における環状形蛍光ランプＬは、環外径４４７ｍｍ、管径１６ｍｍの４１Ｗ形スリム形蛍光ランプが収容される。
【００４６】
上記に構成された物品包装体３０から、収容された環状形蛍光ランプＬを取り出すには、図３に示すように、係止片２０の摘み２２を指で摘み、係止片２０を係止溝１７から引き抜いて封緘を解き、差込フラップ１６を引き出して蓋部１５を開放し開口部１４から環状形蛍光ランプＬを手で取り出す。
【００４７】
環状形蛍光ランプＬを取り出した包装容器１０を廃棄するために解体を行う場合は、図４に示すように、面板１１に形成された切断線１９からジッパ部分の一端を、指で摘んで引き起こし、２本の切目線１８、１８に沿ってジッパ部分を引っ張りながら一気に切除していき、面板１１から切り取る。
【００４８】
これにより、底板１３の一辺と面板１１との連結が解かれ、フリーな状態となるので、図５に示すように底板１３の一辺を摘んで開放して水平状態になるように倒す。
【００４９】
さらに、図６に示すようにフラップ２３を水平になるように起こし、両側板１２を同じ方向に倒して扁平な状態にする。
【００５０】
これにより、包装容器１０は嵩張らないように折り畳んで破棄することができ、リサイクルのための回収時も嵩張ることなく運搬、保管を行うことができる。
【００５１】
本実施例によれば、解体のための２本の切目線１８、１８が面板１１の底板１３側に位置して形成されているので、面板の中心部分に主として印刷されたマークやデザイン表示にジッパ型の切目線がかかることがなく、これら表示機能を低下させて外観を悪くすることがない。
【００５２】
特に、面板１１の底板１３側は、包装容器１０の底に近い目立ちにくい場所で、商品表示のための印刷や注意書などをあまり施さない位置でもあるので、包装容器としての表示機能を低下させたり、外観を悪くするようなことを避けることが可能となる。
【００５３】
切目線１８は、面板１１に細く略水平方向に形成されているので、従来のように面板に斜めに長く形成されたものに比較して、目立ち難く面板１１に施されたマークやデザイン表示の機能を低下させて外観を悪くし、さらには注意書などを見難くする問題も解消することができる。
【００５４】
さらに、切目線１８が従来のように底板１３に形成されていないので、包装容器１０を積み重ねて展示した場合に、面板１１に形成された切目線１８は隠れ、展示の正面となる底板部分には切目線がない。これにより積み重ね展示の際も外観を悪くすることもない。
【００５５】
また、切目線１８は、一方の面板のみに形成されているので、他方の面板には影響を与えることがなく、外観上目立ち難い処理が可能となる。
【００５６】
以上、これらの利点により、外観上目立ち難い手段で、嵩張らない状態に解体作業を行うことができる。
【００５７】
さらに、切目線１８が底板１３に形成されていないので、幅寸法が小さくなって、底板が細く長くなった場合にも、切り裂くことが難しくなるようなことがなく、解体作業を確実に行うことができる。
【００５８】
また、従来のように全ての切目線が箱体の角部分である稜線に形成されていないため、切目線が目立ち難くなることが防止でき、ユーザーが切り取りを気付かないような恐れもなくなり、解体作業を確実に行うことができる。
【００５９】
特に、切目線１８は、ジッパ型に形成されているので、小さい力で容易かつ確実に切り取ることができ、指先の力が比較的弱い老人や子供、さらには女性でも簡単に解体作業を行うことができる。
【００６０】
さらに、解体の際、従来のように面板の一部をも展開する必要がなく、展開した際の面積が大きくなって嵩張ることもない。
【００６１】
なお、本実施例において、切目線が目立たない場合には、切目線の近傍に切目線の存在を示す矢印などの表示や説明文等を印刷、若しくは注意ラベルを貼るようにしてもよい。
【００６２】
また、収容された環状形蛍光ランプＬの取り出しは、蓋部１５を開放して取り出すようにしたが、図５に示すように蓋部を開放せずに解体時と同様に、面板１１に形成された切断線１９からジッパ部分の一端を指で摘み、２本の切目線１８、１８に沿って面板１１の一部を切り取ることにより底板１３を開放し、この開口からランプＬを取り出すようにすることも可能となる。
【００６３】
この場合、被包装物品の取り出し作業と、廃棄のための解体作業が同時に行うことができ、作業が一層容易になる。
【００６４】
また、底板１３を開放した際に、面板１１の一部が切り取られ、開口が大きく開放されるので、収容されている環状形蛍光ランプＬの一部が突出して見えるようになり、手で容易にランプを掴むことができ取り出し作業が容易に行える利点もある。
【００６５】
なお、本実施例の包装容器は、基本構成は従来のものと変わらないので、現在使用されている包装機械を略変更することなく使用することも可能となる。
【実施例２】
【００６６】
本実施例は、解体のための２本の切目線を面板の底板側にではなく、面板の中央部分を含めた自由な位置に形成できるように構成したものである。
【００６７】
以下、その構成を図７〜図９に従い説明する。
【００６８】
図７〜図９は、本発明の第二実施形態である包装容器を示し、図７は包装容器の展開図、図８は包装容器を組み立てた状態を底板側から見た斜視図、図９は包装容器を解体して破棄する状態を示す斜視図である。
【００６９】
なお、図７〜図９には、実施例１と同一部分には同一符号を付して説明する。
【００７０】
１０は包装容器で、実施例１と同様、一対の矩形状の面板１１、一対の面板の両側面に形成される側板１２、面板の底辺部と連結される底板１３、面板の上辺部に底板と対向して形成される開口部１４、開口部を開閉可能とする蓋部１５で構成され、面板がその一辺の寸法ａが約４５０ｍｍの正方形をなし、側板１２の幅寸法ｂが約２５ｍｍで、横断面が矩形状をなし、その内部に矩形状の収容部を形成した箱体として構成される。
【００７１】
本実施例の包装容器１０は、図７の展開図に示すように、他方の面板１１（図７下方の面板）の略中間部のやや下方部分に位置して、ジッパ型の２本の切目線１８、１８を形成する。
【００７２】
２本の切目線１８、１８は、その両端部１８ａ、１８ａが両側板１２、１２の稜線Ｔ３、Ｔ４に間に亘るように面板１１上に略水平方向に形成され、かつ底板１３側に位置する切目線１８の両端部１８ａ、１８ａと、面板１１と底板１３の稜線Ｔ２両端とを繋ぐ２本の切起し線１８´、１８´が形成されている。
【００７３】
さらに、２本の切目線１８、１８の両端部１８ａ、１８ａ間が繋がるように稜線Ｔ３、Ｔ４上に切断線１９が形成される。
【００７４】
切目線１８はジッパ型、切起し線１８´はミシン目で構成する。
【００７５】
これにより、切目線１８に沿って面板１１の一部を切り取り、かつ切起し線１８´、１８´に沿って面板１１を切り裂き底板１３を開放することができるようになっている。
【００７６】
なお、ジッパ型の２本の切目線１８、１８の間隔寸法ｃは、実施例１と同様に５〜３０ｍｍ、好ましくは１０〜２５ｍｍに形成する。本実施例では、約１０ｍｍに形成した。
【００７７】
その他の構成は、実施例１と同様に構成され、上記のように一枚の厚紙に展開され切り抜かれたものを、実施例１と同様に組み立てて物品包装体３０を構成する。
【００７８】
環状形蛍光ランプＬを取り出した包装容器１０を廃棄するために解体を行う場合は、図８に示すように、面板１１に形成された切断線１９を指で摘み２本の切目線１８、１８に沿って面板１１の略中央部分の一部を切り取る。
【００７９】
これにより、面板１１に形成された水平方向の細長い開口から、底板１３側に位置する面板１１´の両端部を指で摘み、切起し線１８´、１８´に沿って面板１１´を切り裂き、面板１１´および底板１３を開放して水平状態になるように倒す。
【００８０】
さらに、図９に示すようにフラップ２３を水平になるように起こし、両側板１２、１２を同じ方向に倒して扁平な状態にする。
【００８１】
これにより、実施例１と同様に包装容器１０は嵩張らないように折り畳んで破棄することができ、リサイクルのための回収時も嵩張ることなく運搬、保管が円滑に行える。  
【００８２】
本実施例によれば、底板１３側に位置する切目線１８の両端部１８ａ、１８ａと、面板１１と底板１３の稜線Ｔ２両端とを繋ぐ切起し線１８´、１８´が形成されているので、切起し線１８´、１８´の長さを調整することにより、２本の切目線１８を形成する位置は、面板１１上において自由に選択することができる。
【００８３】
例えば、面板１１上に印刷された商品の重要な注意書き等を避けて形成することも可能となり、印刷表示の表示機能を損ねることなく、かつ外観を著しく損なうことなく使用者にとって解体用の切目線であることが適度に目立つような位置を適宜選択して形成することができる。
【００８４】
これにより、より一層目立ち難い手段で、嵩張らない状態に解体作業を行うことができる包装容器および物品包装体を提供することができる。
【００８５】
なお、本実施例における他の構成、作動、作用効果、変形例等は、実施例１と同様である。
【００８６】
以上、本発明の好適な実施形態を説明したが、本発明は上述の各実施例に限定されることなく、本発明の要旨を逸脱しない範囲内において、種々の設計変更を行うことができる。
【図面の簡単な説明】
【００８７】
【図１】本発明の第一実施形態である包装容器の展開図。
【図２】同じく包装容器を組み立てた状態を底板側から見た斜視図。
【図３】同じく物品包装体の斜視図。
【図４】同じく切目線を切り取る状態を示す包装容器の斜視図。
【図５】同じく切目線を切り取った状態を示す包装容器の斜視図。
【図６】同じく包装容器を解体して破棄する状態を示す斜視図。
【図７】本発明の第二実施形態である包装容器の展開図。
【図８】同じく包装容器を組み立てた状態を底板側から見た斜視図。
【図９】同じく包装容器を解体して破棄する状態を示す斜視図。
【符号の説明】
【００８８】
１０  包装容器
１１  面板
１２  側板
１３  底板
１４  開口部
１５  蓋部
１８  切目線
１８´切起し線
３０  物品包装体
【図１】
2007297077.tif 000003
【図２】
2007297077.tif 000004
【図３】
2007297077.tif 000005
【図４】
2007297077.tif 000006
【図５】
2007297077.tif 000007
【図６】
2007297077.tif 000008
【図７】
2007297077.tif 000009
【図８】
2007297077.tif 000010
【図９】
2007297077.tif 000011